(57)【特許請求の範囲】
【請求項１】
上方向に突出する突起部を複数有する第１の支持部の列と、前記第１の支持部の列の前記突起部より高さが低い突起部を複数有する第２の支持部の列と、前記第２の支持部の列の前記突起部より高さが低い突起部を複数有する第３の支持部の列とを備え、前記第１の支持部の列と前記第２の支持部の列の間に前記第３の支持部の列を２列配置し、前記２列の第３の支持部で円形の食器類の下方を支持するようにし、前記第１の支持部の列は前記第２の支持部の列より前記食器類の外周側に設けた食器収納用カゴ。
【請求項２】
第１の支持部の列、第２の支持部の列、第３の支持部の列のそれぞれの突起部のピッチを異ならせた請求項１に記載の食器収納用カゴ。
【請求項３】
前方に開口部を有する洗浄槽を備え、前記洗浄槽内に、請求項１又は２に記載の食器収納用カゴを、第１の支持部の列が第２の支持部の列より後方になるように配設した食器洗い機。
【発明の詳細な説明】
【技術分野】
【０００１】
本発明は、食器類に洗浄水を噴射して洗浄する食器洗い機等に用いられる食器収納用カゴ及び食器洗い機に関するものである。
【背景技術】
【０００２】
従来のこの種の一般的な食器収納用カゴ及びそれを内設した食器洗い機は、図４〜６に示すように構成されていた（例えば、特許文献１参照）。以下、それらの構成について説明する。
【０００３】
図４に示すように、従来のこの種の食器洗い機は、前面に開口部１ａをもつ洗浄槽１と、前記開口部１ａを開閉する扉２を有し、洗浄槽１の底部中央には、洗浄水を噴射するノズル３が設けられ、洗浄槽１内には、食器収納用カゴとして、棒状の線材からなる上段カゴ４と下段カゴ５とがそれぞれ設けられている。
【０００４】
扉２を開けている時には、下段カゴ５は、扉２と洗浄槽１との間を前後方向に引き出し移動可能である。上段カゴ４は、洗浄槽１内の壁面に設けられたレール部６によって、前後方向に移動自在に支持されている。
【０００５】
また、下段カゴ５上の中央付近には小物入れ７が固定され、洗浄槽１の底部には洗浄水をお湯にするときなどに使用されるヒータ８が、洗浄槽１の下部の外側には、洗浄ポンプ９がそれぞれ設けられている。なお、食器類１０は、上段カゴ４、下段カゴ５にセットされ、小物入れ７にスプーン、フォーク等のカトラリーの小物類１１がセットされ、洗浄槽１内の下部には排水口１２が設けられている。
【０００６】
図５は、棒状の線材からなる上段カゴ４の食器類１０をセットする部分の斜視図で、上段カゴ４は、左右方向に長い線材１３上に固着され上下方向に長い突起部（線材）１４の列で構成され、左右に２列設け、さらに図に示すように扇状に広がっている。食器類１０の下方の端部は、突起部１４の下部で、食器類１０の上方の壁面は、突起部１４の上部で支えられている。
【０００７】
図６は、上段カゴ４に食器類１０をセットした状態を示すものである。
【０００８】
ここで上記食器洗い機の動作について説明する。先ず、扉２を開いて、扉２上に下段カゴ５を引き出して食器類１０と小物入れ７に小物類１１をセットする動作と、上段カゴ４を前方に引き出して食器類１０をセットする動作を交互に行う。そして、食器洗い機の運転を開始すると、洗浄槽１内の洗浄水が、ヒータ８によって温水化され、洗浄ポンプ９にて洗浄槽１内の排水口１２から吸い込まれ、ノズル３に圧送され、ノズル３より勢いよく食器類１０や小物類１１に噴射される。なお、ノズル３は、回転しながら、洗浄水を噴射する。以上のようにして、上段カゴ４、下段カゴ５にセットされた食器類１０、小物入れ７にセットされた小物類１１が洗浄されるものである。
【特許文献１】特開２００４−３２１２８３号公報
【発明の開示】
【発明が解決しようとする課題】
【０００９】
しかしながら、上記従来の食器収納用カゴは、以下のような課題があった。
【００１０】
従来の棒状の線材からなる上段カゴ４は、上下方向に長く前後に配された突起部１４を扇状に広げ、斜め側方に傾ける方法が取られていた。
【００１１】
一般的に、曲率の大きい食器類１０も、食器類１０の外周側で見れば、曲率の小さい食器類１０と食器類１０の壁面の位置は、ほぼ同じである。よって、この方法は、食器類１０の支持をできるだけ広いところで受けて、曲率の大きい食器類、曲率の小さい食器類や、厚みの厚い食器類、厚みの薄い食器類等の色々な形状の食器類１０に対応し易くなっている。
【００１２】
しかし、この方法では、突起部１４を扇上に広げると共に長くしているので、突起部１４が前後方向に広がり、図６に示すように、ノズル３側から見て、食器類１０と突起部１４が重なる範囲が増え、上段カゴ４の下方のノズル３から噴出される洗浄水が、突起部１４でブロックされやすくなり、洗浄性能が低下するという課題があった。
【００１３】
また、長い突起部１４を有する上段カゴ４の製造コストを下げるために、上段カゴ４を樹脂で形成しようとすれば、強度を維持するために、突起部１４の厚みを厚くする必要があり、厚くすれば、ノズル３から噴出される洗浄水が、更に、突起部１４によりブロックされ易くなるため、長い突起部１４を持つ上段カゴ４を樹脂で形成することができず、棒状の線材で形成されていた。
【００１４】
本発明は上記従来の課題を解決するもので、洗浄性能を低下させることなく、安価な構成で、大きさ、形状の異なる食器類を容易にセットできる食器収納用カゴ及び食器洗い機を提供することを目的としている。
【課題を解決するための手段】
【００１５】
上記従来の課題を解決するために、本発明の食器収納用カゴは、
上方向に突出する突起部を複数有する第１の支持部の列と、前記第１の支持部の列の前記突起部より高さが低い突起部を複数有する第２の支持部の列と、前記第２の支持部の列の前記突起部より高さが低い突起部を複数有する第３の支持部の列とを備え、前記第１の支持部の列と前記第２の支持部の列の間に前記第３の支持部の列を２列配置し、前記２列の第３の支持部で円形の食器類の下方を支持するようにし、前記第１の支持部の列は前記第２の支持部の列より前記食器類の外周側に設けたもので、第１、第２の支持部の列の上下方向に長い突起部の少なくとも一方の先端で、食器類の外周側の上方の壁面を支え、第３の支持部の列の上下方向に長い突起部の根元で、食器類の内周側の下端を支持して、食器
類のセットができるものである。しかも、第１の支持部の列と第２の支持部の列の突起部の高さを変えたので、曲率の大きい、小さい、径が大きい、小さい、厚みが厚い、薄い等の色々な形状の食器類にも対応し易い。例えば、高い突起部を備えた第１の支持部の列を食器類の外周側に設け、第１の支持部の列の突起部より低い突起部を備えた第２の支持部の列を第１の支持部の列より食器類の内周側に設ければ、曲率の大きい食器類は、低い方の突起部で、曲率の小さい食器類は高い方の突起部で、それぞれ支持できる。また、径が大きい食器類は高い方の第１の支持部の列の突起部で、径が小さい食器類は低い方の第２の支持部の列の突起部で、厚みが厚い食器類は、低い方の第２の支持部の列の突起部で、厚みの薄い食器類は、高い方の第１の支持部の列の突起部で、それぞれ確実に支持される。また、第１の支持部の列、第２の支持部の列、第３の支持部の列との間には隙間があり、食器類と突起部は点接触するので、従来の棒状の線材カゴで見られる突起部が扇状に広がることにより、食器類と突起部のノズル側から見て位置が重なる範囲が増え、カゴの下面のノズルから噴出される洗浄水が、突起部でブロックされ、洗浄性能を低下させるという問題も生じないものである。しかも、突起部を斜め方向に傾けなくても、従来の扇状に広がる突起部と同等の効果がある。しかも、強度を持たせるために突起部の厚みを厚くする必要も無いので、突起部を持つカゴを樹脂で構成することが可能になる。よって、洗浄性能を低下させることなく、しかもコストもかけず、食器類が容易にセットできる食器収納用カゴを提供できるものである。
【００１６】
また、本発明の食器洗い機は、前方に開口部を有する洗浄槽を備え、前記洗浄槽内に、請求項１又は２に記載の食器収納用カゴを、第１の支持部の列が第２の支持部の列より後方になるように配設したもので、安価で簡単な構成で洗浄性能に優れ、しかも食器類の収納性に優れた食器洗い機を提供することができる。しかも、使用者側から見て、洗浄槽の後方に高い突起部を備えた第１の支持部の列を配し、手前に第１の支持部の突起部より低い突起部を備えた第２の支持部の列が配されるので、食器類をセットするときに、食器類が突起部にあたり、使用者が食器類をセットし難いということも無い。
【発明の効果】
【００１７】
本発明の食器収納用カゴは、安価で簡単な構成で、大きさ、形状の異なる食器類を容易に収納することができ、しかも洗浄性能に優れたものである。
【発明を実施するための最良の形態】
【００１８】
第１の発明は、上方向に突出する突起部を複数有する第１の支持部の列と、前記第１の支持部の列の前記突起部より高さが低い突起部を複数有する第２の支持部の列と、前記第２の支持部の列の前記突起部より高さが低い突起部を複数有する第３の支持部の列とを備え、前記第１の支持部の列と前記第２の支持部の列の間に前記第３の支持部の列を２列配置し、前記２列の第３の支持部で円形の食器類の下方を支持するようにし、前記第１の支持部の列は前記第２の支持部の列より前記食器類の外周側に設けたもので、第１、第２の支持部の列の上下方向に長い突起部の少なくとも一方の先端で、食器類の外周側の上方の壁面を支え、第３の支持部の列の上下方向に長い突起部の根元で、食器類の内周側の下端を支持して、食器類のセットができるものである。しかも、第１の支持部の列と第２の支持部の列の突起部の高さを変えたので、曲率の大きい、小さい、径が大きい、小さい、厚みが厚い、薄い等の色々な形状の食器類にも対応し易い。例えば、高い突起部を備えた第１の支持部の列を食器類の外周側に設け、第１の支持部の列の突起部より低い突起部を備えた第２の支持部の列を第１の支持部の列より食器類の内周側に設ければ、曲率の大きい食器類は、低い方の突起部で、曲率の小さい食器類は高い方の突起部で、それぞれ支持できる。また、径が大きい食器類は高い方の第１の支持部の列の突起部で、径が小さい食器類は低い方の第２の支持部の列の突起部で、厚みが厚い食器類は、低い方の第２の支持部の列の突起部で、厚みの薄い食器類は、高い方の第１の支持部の列の突起部で、それぞれ確実に支持される。また、第１の支持部の列、第２の支持部の列、第３の支持部の列との間には隙間があり、食器類と突起部は点接触するので、従来の棒状の線材カゴで見られる突起部が扇状に広がることにより、食器類と突起部のノズル側から見て位置が重なる範囲が増え、カゴの下面のノズルから噴出される洗浄水が、突起部でブロックされ、洗浄性能を低下させるという問題も生じないものである。しかも、突起部を斜め方向に傾けなくても、従来の扇状に広がる突起部と同等の効果がある。しかも、強度を持たせるために突起部の厚みを厚くする必要も無いので、突起部を持つカゴを樹脂で構成することが可能になる。よって、洗浄性能を低下させることなく、しかもコストもかけず、食器類が容易にセ
ットできる食器収納用カゴを提供できるものである。
【００１９】
第２の発明は、特に、第１の発明の第１の支持部の列、第２の支持部の列、第３の支持部の列のそれぞれの突起部のピッチを異ならせたもので、曲率の大きい、小さい、径が大きい、小さい、厚みが厚い、薄い等の色々な形状の食器類に、より対応し易くなるもので、食器類のセット性を一層向上させることができる。
【００２０】
第３の発明は、食器洗い機に、前方に開口部を有する洗浄槽を備え、前記洗浄槽内に、請求項１又は２に記載の食器収納用カゴを、第１の支持部の列が第２の支持部の列より後方になるように配設したもので、安価で簡単な構成で、洗浄性能に優れしかも食器類の収納性に優れた食器洗い機を提供することができる。しかも、使用者側から見て、洗浄槽の後方に高い突起部を備えた第１の支持部の列を配し、手前に第１の支持部の突起部より低い突起部を備えた第２の支持部の列が配されるので、食器類をセットするときに、食器類が突起部にあたり、使用者が食器類をセットし難いということも無い。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における食器収納用カゴを内設した食器洗い機の側断面図、図２は、同食器収納用カゴの部分拡大斜視図、図３は、同食器収納用カゴに食器類をセットした状態を示す図である。なお、従来例と同一部分については同一符号を付してその説明を省略する。
【００２３】
図１から３において、１５は、本実施の形態における食器収納用カゴである上段カゴで、食器類１０の外周側の上方壁面を支持する上下方向に長い複数の突起部１６を有する棒状の第１の支持部の列１７と、第１の支持部列１７と反対側の食器類１０の外周側の上方壁面を支持すると共に第１の支持部の列１７の突起部１６より高さが低い突起部１６を有する棒状の第２の支持部の列１８を略平行に設け、食器類１０の下端を支持すると共に第１、第２の支持部の列１７、１８の突起部１６より高さが低い突起部１６を有する棒状の第３の支持部の列１９を略平行に、かつ、第１と第２の支持部の列１７、１８の間に、２列設けている。
【００２４】
また、図３に示すように、第１の支持部の列１７は、食器類１０の外周側に、第２の支持部の列１８は、第１の支持部の列１７より食器類１０の内周側に設けている。また、第１の支持部の列１７、第２の支持部の列１８、第３の支持部の列１９の突起部１６のピッチを異なるピッチに設けている。
【００２５】
なお、本実施の形態では、使用者から見て、洗浄槽１の手前の方を第２の支持部の列１８に、後方を第１の支持部の列１７としている。また、本実施の形態においては、上段カゴ１５は樹脂で構成されている。
【００２６】
次に、上記のように構成された食器収納用の上段カゴ１５について、動作を説明する。食器類１０のセットは、第１、第２の支持部の列１７、１８の上下方向に長い突起部１６の少なくとも一方の先端で、食器類１０の外周側の上方の壁面を支え、第３の支持部の列１９の上下方向に長い突起部１６の根元で、食器類１０の内周側の下端を支持している。よって、食器類１０のセットができるものである。
【００２７】
しかも、第１の支持部の列１７と第２の支持部の列１８の突起部１６の高さを変えたので、曲率の大きい、小さい、径が大きい、小さい、厚みが厚い、薄い等の色々な形状の食器類１０にも対応し易い。例えば、高い突起部１６を備えた第１の支持部の列１７を食器類１０の外周側に設け、第１の支持部の列１７の突起部１６より低い突起部１６を備えた第２の支持部の列１８の突起部１６を第１の支持部の列１７より食器類１０の内周側に設ければ、曲率の大きい食器類１０は低い方の突起部１６で、曲率の小さい食器類１０は高い方の突起部１６で、支持できる。
【００２８】
また、径が大きい食器類１０は、高い方の第１の支持部の列１７の突起部１６で、径が小さい食器類１０は、低い方の第２の支持部の列１８の突起部１６で、厚みが厚い食器類１０は、低い方の第２の支持部の列１８の突起部１６で、厚みの薄い食器類１０は高い方の第１の支持部の列１７の突起部１６で、それぞれ支持される。
【００２９】
また、第１の支持部の列１７、第２の支持部の列１８、第３の支持部の列１９の突起部１６のピッチを異なるピッチで構成しているので、曲率の大きい、小さい、径が大きい、小さい、厚みが厚い、薄い等の色々な形状の食器類１０により対応し易くなるものである。
【００３０】
また、第３の支持部の列１９の突起部１６を、溝部に代えても、食器類１０の下端を支持することができるが、溝部だと、食器類１０との接触面積が大きくなるので、その部分に洗浄中の汚れカスがたまり易く良くない。これに対し、本実施の形態では、突起部１６を使用しているので、食器類１０とは、点接触になり、汚れもたまらない。
【００３１】
また、第１の支持部の列１７、第２の支持部の列１８、第３の支持部の列１９の間に隙間があり、食器類１０と突起部１６は点接触しているので、従来の棒状の線材からなるカゴで見られる突起部１４が扇状に広がることにより、食器類１０と突起部１４のノズル３側から見て位置が重なる範囲が増え、カゴの下面のノズル３から噴出される洗浄水を、突起部１４がブロックし、洗浄性能を低下させる問題も生じないものである。
【００３２】
しかも、本実施の形態によれば、突起部１６を斜め方向に傾けなくても良く、従来の突起部１４に比べ短くすることもできるので、強度を持たせるために突起部１６の厚みを厚くする必要も無いので、突起部１６を有する上段カゴ１５を、本実施の形態のように樹脂で構成することも可能となるものである。
【００３３】
よって、洗浄性能を低下させることなく、しかもコストもかけず、食器類１０が容易にセットできる食器収納用カゴを提供することができる。しかも、使用者側から見て、洗浄槽１の後方に、高い突起部１６を備えた第１の支持部の列１７を配し、手前に第１の支持部の列１７の突起部１６より低い突起部１６を備えた第２の支持部の列１８を配すれば、食器類１０をセットするときに、食器類１０が突起部１６にあたり、使用者が食器類１０をセットし難いということも無くなるものである。
【００３４】
なお、本実施の形態では、第１、第２、第３の支持部の列１７、１８、１９を上段カゴ１５に用いたが、下段カゴ５に用いても、上段カゴ１５と同等の効果が得られるものである。
【００３５】
又、上記実施の形態で述べた上段カゴ１５を、食器洗い機に使用すれば、安価で、洗浄性能に優れしかも食器類の収納性に優れた食器洗い機を提供することができる。しかも、使用者側から見て、洗浄槽１の後方に高い突起部１６を備えた第１の支持部の列１７を配し、手前に第１の支持部の列１７の突起部１６より低い突起部１６を備えた第２の支持部の列１８を配すれば、食器類１０をセットするときに、食器類１０が突起部１６にあたり、使用者が食器類１０をセットし難いということも無い。
【産業上の利用可能性】
【００３６】
以上のように、本発明に係る食器収容用カゴは、安価で簡単な構成で、大きさ形状の異なる食器類の収納性に優れたもので、家庭用、業務用食器洗い機に広く適用できるものである。
【図面の簡単な説明】
【００３７】
【図１】本発明の実施の形態１における食器収納用カゴを内設した食器洗い機の側断面図
【図２】同食器収納用カゴの部分拡大斜視図
【図３】（ａ）同食器収納用カゴに食器類をセットした状態を示す図（正面図）、（ｂ）同食器収納用カゴに食器類をセットした状態を示す図（側面図）
【図４】従来の食器収納用カゴを内設した食器洗い機の側断面図
【図５】同食器収納用カゴの食器類をセットする部分の拡大斜視図
【図６】（ａ）同食器収納用カゴに曲率の大きい食器類をセットした状態を示す図、（ｂ）同食器収納用カゴに曲率の小さい食器類をセットした状態を示す図
【符号の説明】
【００３８】
１０  食器類
１５  上段カゴ（食器収納用カゴ）
１６  突起部
１７  第１の支持部の列
１８  第２の支持部の列
１９  第３の支持部の列
【図１】
0004715607.tif 000002
【図２】
0004715607.tif 000003
【図３】
0004715607.tif 000004
【図４】
0004715607.tif 000005
【図５】
0004715607.tif 000006
【図６】
0004715607.tif 000007